(57)【要約】【課題】全体が弾力性のあるゴム材によって一つながりの一体成形品として形成された内視鏡の鉗子栓であっても、内視鏡の処置具挿通口金に安定した状態に取り付けることができ、且つ、閉鎖膜部に形成されたスリットを処置具でスムーズに押し開いて良好な操作性を得ることができる内視鏡の鉗子栓を提供すること。【解決手段】処置具５０が通されることにより弾性変形して押し開かれるスリット１５ａが形成された閉鎖膜部１５と、弾性変形させることにより内視鏡の処置具挿通チャンネル３の入口に設けられた処置具挿入口金４に対して着脱される処置具挿入口金取付部１４とが、弾力性のあるゴム材によって一つながりに一体に成形された内視鏡の鉗子栓において、閉鎖膜部１５と処置具挿入口金取付部１４の少なくとも一方の表面を改質処理して、閉鎖膜部１５の表面硬度を処置具挿入口金取付部１４の表面硬度より低く形成した。【選択図】      図１
2005052454.tif 000002
【特許請求の範囲】
【請求項１】
処置具が通されることにより弾性変形して押し開かれるスリットが形成された閉鎖膜部と、弾性変形させることにより内視鏡の処置具挿通チャンネルの入口に設けられた処置具挿入口金に対して着脱される処置具挿入口金取付部とが、弾力性のあるゴム材によって一つながりに一体に成形された内視鏡の鉗子栓において、
上記閉鎖膜部と上記処置具挿入口金取付部の少なくとも一方の表面を改質処理して、上記閉鎖膜部の表面硬度を上記処置具挿入口金取付部の表面硬度より低く形成したことを特徴とする内視鏡の鉗子栓。
【発明の詳細な説明】
【技術分野】
【０００１】
この発明は、内視鏡の処置具挿通チャンネルの入口部分に着脱自在に取り付けられる内視鏡の鉗子栓に関する。
【背景技術】
【０００２】
内視鏡の鉗子栓には一般に、処置具が通されることにより弾性変形して押し開かれるスリットが形成された閉鎖膜部と、弾性変形させることにより内視鏡の処置具挿通チャンネルの入口に設けられた処置具挿入口金に対して着脱される処置具挿入口金取付部とが形成されている。
【０００３】
そのような内視鏡の鉗子栓の閉鎖膜部は、処置具挿入口金取付部が形成されている鉗子栓の胴状部分に対して被脱自在な蓋状部分に形成されて、ベルト状の連結部により胴状部分と連結されており、使用後の洗浄性の向上やコストダウンを図ったものでは、鉗子栓全体が弾力性のあるゴム材によって一つながりの一体成形品として形成されている（例えば、特許文献１）。
【特許文献１】実公平４−３４８０２号公報、第１図等
【発明の開示】
【発明が解決しようとする課題】
【０００４】
内視鏡の鉗子栓の閉鎖膜部は、通過する処置具によってスリットがスムーズに押し開かれないと操作抵抗が重くなるなど操作性が悪くなり、処置具挿入口金取付部は、処置具挿入口金に対してある程度以上ガッチリと取り付かないと、処置具挿通操作時にぐらついて操作性を阻害する。したがって、鉗子栓の閉鎖膜部にはある程度以上の柔軟性が必要であり、処置具挿入口金取付部にはある程度以上の硬度が必要である。
【０００５】
しかし、上述のように全体が一つながりの一体成形品として形成された内視鏡の鉗子栓においては、閉鎖膜部と処置具挿入口金取付部とが同じ硬度に出来てしまうので、処置具の挿通性を重視すれば処置具挿入口金に対する取り付けがぐらつき、処置具挿入口金に対する取り付き状態を安定させれば処置具の挿通が重くなって操作性が悪くなる傾向が強かった。
【０００６】
そこで本発明は、全体が弾力性のあるゴム材によって一つながりの一体成形品として形成された内視鏡の鉗子栓であっても、内視鏡の処置具挿通口金に安定した状態に取り付けることができ、且つ、閉鎖膜部に形成されたスリットを処置具でスムーズに押し開いて良好な操作性を得ることができる内視鏡の鉗子栓を提供することを目的とする。
【課題を解決するための手段】
【０００７】
上記の目的を達成するため、本発明の内視鏡の鉗子栓は、処置具が通されることにより弾性変形して押し開かれるスリットが形成された閉鎖膜部と、弾性変形させることにより内視鏡の処置具挿通チャンネルの入口に設けられた処置具挿入口金に対して着脱される処置具挿入口金取付部とが、弾力性のあるゴム材によって一つながりに一体に成形された内視鏡の鉗子栓において、閉鎖膜部と処置具挿入口金取付部の少なくとも一方の表面を改質処理して、閉鎖膜部の表面硬度を処置具挿入口金取付部の表面硬度より低く形成したものである。
【発明の効果】
【０００８】
本発明によれば、全体が弾力性のあるゴム材によって一つながりの一体成形品として形成された内視鏡の鉗子栓において、閉鎖膜部と処置具挿入口金取付部の少なくとも一方の表面を改質処理して、閉鎖膜部の表面硬度を処置具挿入口金取付部の表面硬度より低く形成したことにより、処置具挿入口金取付部を内視鏡の処置具挿通口金に安定した状態に取り付けることができ、且つ、閉鎖膜部に形成されたスリットを処置具でスムーズに押し開いて良好な操作性を得ることができる。
【発明を実施するための最良の形態】
【０００９】
全体が弾力性のあるゴム材によって一つながりに一体に成形された内視鏡の鉗子栓の、閉鎖膜部と処置具挿入口金取付部の少なくとも一方の表面に化学気相成長等の表面改質処理を施して、閉鎖膜部の表面硬度を処置具挿入口金取付部の表面硬度より低く形成する。
【実施例】
【００１０】
図面を参照して本発明の実施例を説明する。
図２は内視鏡の全体構成を示しており、可撓性挿入部１には、処置具５０が挿脱される処置具挿通チャンネル３が全長にわたって挿通配置されている。
【００１１】
そして、可撓性挿入部１の基端に連結された操作部２の可撓性挿入部１との連結部付近に、処置具挿通チャンネル３の基端入口に取り付けられた鉗子栓１０が斜め上方に向けて突出配置されている。
【００１２】
図１は、鉗子栓１０を単体で示しており、胴状部分１１とその上半部に被脱自在な蓋状部分１２とがベルト状の連結部１３によって一つながりに、弾力性のあるゴム材によって一体成形により形成されている。
【００１３】
胴状部分１１の内面部分の下半部は、図１には図示されていない内視鏡の処置具挿通口金（図３に示される符号４）に着脱される処置具挿入口金取付部１４になっていて、その下端口元の近傍部分が括れた形状に形成されている。
【００１４】
蓋状部分１２は、弾性変形させることにより胴状部分１１の上半部に嵌め込み及び取り外しをすることができ、蓋状部分１２の中央部分に形成された閉鎖膜部１５には、処置具が通されることにより弾性変形して押し開かれる「−」状のスリット１５ａが形成されている。
【００１５】
胴状部分１１の内面部分の中間部分には補助閉鎖膜部１６が形成されていて、その補助閉鎖膜部１６には、挿通される処置具５０の径より僅かに小さな径の小孔１６ａが形成されて、処置具使用時の漏れ防止の補助になっている。
【００１６】
このように、弾力性のあるゴム材によって全体が一つながりに一体成形された鉗子栓１０は、ゴム成形後に、処置具挿入口金取付部１４に対しては表面の硬度を高くする表面改質処理（Ａ）が行われ、閉鎖膜部１５に対しては表面の硬度を低くする表面改質処理（Ｂ）が行われ、その結果、処置具挿入口金取付部１４の表面が硬化され、閉鎖膜部１５の表面が軟化されている。
【００１７】
表面改質の方法は、化学気相成長（Chemical Vapor Deposition ）等各種の表面改質処理の中から適宜選択することができ、表面改質処理が不要な部分を露出させないようにマスキング等を施して表面改質剤と反応させる処理を行えばよい。
【００１８】
図３は、鉗子栓１０に処置具５０が通された使用状態を示しており、処置具挿通チャンネル３の入口である処置具挿入口金４が操作部２の外壁部に突設され、その処置具挿入口金４に、鉗子栓１０の処置具挿入口金取付部１４が弾性変形させて嵌め込まれて取り付けられている。
【００１９】
処置具５０は、閉鎖膜部１５に形成されたスリット１５ａと補助閉鎖膜部１６に形成された小孔１６ａとを押し開いて、処置具挿入口金４から処置具挿通チャンネル３内に挿脱され、その挿脱動作に伴って処置具５０と閉鎖膜部１５とが擦れ合う。
【００２０】
しかし、スリット１５ａが形成されている閉鎖膜部１５は表面改質処理によって柔軟に形成されているので、閉鎖膜部１５が容易に弾性変形して、処置具５０とスリット１５ａとの擦れ合い部分には大きな摩擦抵抗が発生しない。
【００２１】
また、処置具挿入口金取付部１４は表面改質処理によって硬質に形成されて処置具挿入口金４に対してガッチリと係合しているので、処置具５０の挿脱操作等に際して鉗子栓１０がぐらつかず、安定した操作を行うことができる。
【００２２】
なお、本発明は上記実施例に限定されるものではなく、例えば、鉗子栓１０全体を閉鎖膜部１５に適した硬度のゴム材で成形して、処置具挿入口金取付部１４だけを表面改質処理により硬化させてもよく、或いは、鉗子栓１０全体を処置具挿入口金取付部１４に適した硬度のゴム材で成形して、閉鎖膜部１５だけを表面改質処理により軟化させてもよい。
【図面の簡単な説明】
【００２３】
【図１】本発明の実施例の内視鏡の鉗子栓の単体の縦断面図である。
【図２】本発明の実施例の内視鏡の全体構成を示す側面図である。
【図３】本発明の実施例の内視鏡の鉗子栓に処置具が挿脱される使用状態の縦断面図である。
【符号の説明】
【００２４】
３  処置具挿通チャンネル
４  処置具挿入口金
１０  鉗子栓
１１  胴状部分
１２  蓋状部分
１３  連結部
１４  処置具挿入口金取付部
１５  閉鎖膜部
１５ａ  スリット
５０  処置具
【図１】
2005052454.tif 000003
【図２】
2005052454.tif 000004
【図３】
2005052454.tif 000005